(57)【要約】【課題】  廊下灯を露出ボックスを用いて設置する際、スイッチボックスや壁面の状態に拘わらず、露出ボックスが破損或いは変形し難く、廊下灯を容易に装着できる。【解決手段】  廊下灯２を壁面に取り付る際に使用する露出ボックス５は、略中央に配線口１０を有し、その上下に壁面に取り付けるためのビス挿通孔１１を備えた背板５ａと、背板５ａに周設されて廊下灯２との係合面を有する枠体５ｂとから成り、内部に配線を収容する配線収容空間を備えた。そして、上下の柱状突起１２ａと枠体５ｂの間の背板５ａに横長のスリット１４を一対形成して帯状部１７を形成し、ビス挿通孔１１を帯状部１７の中に配置した。また、枠体５ｂには、装着金具６を取り付けるネジ孔１３を設けたブロック１８が内側に突出形成し、このブロック１８を背板５ａとスリット状の開口部１９により分離した。【選択図】  図２
2006198332.tif 000002
【特許請求の範囲】
【請求項１】
患者が看護師を呼び出すためのベッド子機と、病室毎に設置して前記ベッド子機からの呼び出しを看護師に知らせるための廊下灯と、前記患者からの呼び出しに応答するためにナースステーションに設置されるナースコール親機と、前記ナースコール親機および前記廊下灯を制御する制御機と、を有するナースコール装置であって、
前記廊下灯は、壁面に取り付けられる露出ボックスと、前記廊下灯を装着するために前記露出ボックスに取り付けられる装着金具とを介して壁面に取り付けられ、
前記露出ボックスは、略中央に配線挿通用の配線口を有すると共に壁面に取り付けるためのビス挿通孔を前記配線口の上下に備えた背板と、前記背板に周設されて前記廊下灯に密着する係合面を有した枠体とを有し、
前記枠体で囲まれた内部に配線を収容する配線収容空間を備えると共に、前記背板には、前記露出ボックスを壁面にビス止めした際に前記係合面が変形するのを防止するためのスリットを、前記ビス挿通孔を挟む外側に横長に一対形成してなることを特徴とするナースコール装置。
【請求項２】
前記スリットと前記ビス挿通孔との間の前記背板に、前記露出ボックスの強度を補強するための格子状リブを設けて成ることを特徴とする請求項１記載のナースコール装置。
【請求項３】
患者が看護師を呼び出すためのベッド子機と、病室毎に設置して前記ベッド子機からの呼び出しを看護師に知らせるための廊下灯と、前記患者からの呼び出しに応答するためにナースステーションに設置されるナースコール親機と、前記ナースコール親機および前記廊下灯を制御する制御機と、を有するナースコール装置であって、
前記廊下灯は、壁面に取り付けられる露出ボックスと、前記廊下灯を装着するために前記露出ボックスに取り付けられる装着金具とを介して壁面に取り付けられ、
前記露出ボックスは、略中央に配線挿通用の配線口を有すると共に壁面に取り付けるためのビス挿通孔を前記配線口の上下に備えた背板と、前記背板に周設されて前記廊下灯に密着する係合面を有した枠体とを有し、
前記枠体で囲まれた内部に配線を収容する配線収容空間を備えると共に、前記装着金具を取り付けるためのネジ孔を、前記枠体から内側に突出形成したブロックに形成し、前記ブロックは前記背板から分離して形成されて成ることを特徴とするナースコール装置。
【請求項４】
前記背板には、前記ブロックを囲むように開口部が形成され、前記開口部により前記背板と前記ブロックが分離されて成ることを特徴とする請求項３記載のナースコール装置。
【請求項５】
患者が看護師を呼び出すためのベッド子機と、病室毎に設置して前記ベッド子機からの呼び出しを看護師に知らせるための廊下灯と、前記患者からの呼び出しに応答するためにナースステーションに設置されるナースコール親機と、前記ナースコール親機および前記廊下灯を制御する制御機と、を有するナースコール装置であって、
前記廊下灯は、壁面に取り付けられる露出ボックスと、前記廊下灯を装着するために前記露出ボックスに取り付けられる装着金具とを介して壁面に取り付けられ、
前記露出ボックスは、略中央に配線挿通用の配線口を有すると共に壁面に取り付けるためのビス挿通孔を前記配線口の上下に備えた背板と、前記背板に周設されて前記廊下灯に密着する係合面を有した枠体とを有して内部に配線を収容する配線収容空間を備え、
更に、前記装着金具を取り付けるためのネジ孔を設けたブロックを、前記枠体の内側に突出形成すると共に、前記ブロックは前記背板から分離して形成し、前記背板には、前記露出ボックスを壁面にビス止めした際に前記係合面が変形するのを防止するためのスリットを、前記ビス挿通孔を挟む外側に横長に一対形成してなることを特徴とすることを特徴とするナースコール装置。  
【請求項６】
前記背板には、配線を整理するための柱状突起が設けられて成ることを特徴とする請求項１乃至５の何れかに記載のナースコール装置。
【請求項７】
前記露出ボックスには、前記装着金具を位置決めするためのガイドリブが設けられて成ることを特徴とする請求項１乃至６の何れかに記載のナースコール装置。
【発明の詳細な説明】
【技術分野】
【０００１】
本発明はナースコール装置に関し、特に患者からの呼び出しを看護師に知らせる為の廊下灯を露出ボックスを介して壁面に設置する形態のナースコール装置に関する。
【背景技術】
【０００２】
ナースコール装置は、ベッド子機により呼び出しが成されると、呼び出しが成されたことを看護師に知らせるために、病室の出入り口近くの壁面に廊下灯が設置され、ランプ等が点灯して呼び出しが成されたことをランプの点灯等で報知するよう構成されている。
この従来の廊下灯は、壁面に埋設されたスイッチボックスに装着金具をビス止めして取り付けるか、非特許文献１に示すように露出ボックスを壁面と装着金具の間に介在させて取り付けていた。
また、このような目的、即ち廊下灯をスイッチボックスに直接接続せずに壁面に設置する際に使用される露出ボックスとしては、特許文献１に示すように玄関子機の設置に使用するものが提案されている。
【０００３】
【非特許文献１】アイホン「総合カタログ２００４／２００５年版」，ｐ．３７７
【特許文献１】特開２０００−２２３４３号公報
【発明の開示】
【発明が解決しようとする課題】
【０００４】
しかしながら、上記従来の露出ボックスは、スイッチボックスの配置や変形、或いは壁面の状態により変形することがあり、その場合廊下灯の装着が難しかった。また、露出ボックスは合成樹脂製であるため、ビス止めによるストレスで場合によっては破損する場合もあった。
そこで、本発明はこのような問題点に鑑み、廊下灯を露出ボックスを用いて設置する場合、スイッチボックスや壁面の状態に拘わらず、露出ボックスが破損或いは変形し難く、廊下灯を容易に装着できるナースコール装置を提供することを目的とする。
【課題を解決するための手段】
【０００５】
上記課題を解決する為に、請求項１に記載の発明は、患者が看護師を呼び出すためのベッド子機と、病室毎に設置してベッド子機からの呼び出しを看護師に知らせるための廊下灯と、患者からの呼び出しに応答するためにナースステーションに設置されるナースコール親機と、ナースコール親機および廊下灯を制御する制御機と、を有するナースコール装置であって、廊下灯は、壁面に取り付けられる露出ボックスと、廊下灯を装着するために露出ボックスに取り付けられる装着金具とを介して壁面に取り付けられ、露出ボックスは、略中央に配線挿通用の配線口を有すると共に壁面に取り付けるためのビス挿通孔を配線口の上下に備えた背板と、背板に周設されて廊下灯に密着する係合面を有した枠体とを有し、枠体で囲まれた内部に配線を収容する配線収容空間を備えると共に、背板には、露出ボックスを壁面にビス止めした際に係合面が変形するのを防止するためのスリットを、ビス挿通孔を挟む外側に横長に一対形成してなることを特徴とする。
この構成により、露出ボックスを壁面にビス止めして背板が変形しても、スリットが変形を吸収するので露出ボックスが破損し難い。即ち、枠体が変形しないので、廊下灯を装着する係合面の変形を抑えることができ、背板の状態に拘わらず廊下灯を良好に装着できる。更に、廊下灯背部に配線処理空間が形成されるので配線処理がし易いし、配線口とスリットにより囲まれた帯状部にビス挿通孔が配置されるので、効果的にビス挿通孔周囲の変形を吸収できる。
【０００６】
請求項２の発明は、請求項１に記載の発明において、スリットとビス挿通孔との間の背板に、露出ボックスの強度を補強するための格子状リブを設けて成ることを特徴とする。
この構成により、ビス止めにより背板が変形しても露出ボックスは破損し難くなる。
【０００７】
請求項３の発明は、患者が看護師を呼び出すためのベッド子機と、病室毎に設置してベッド子機からの呼び出しを看護師に知らせるための廊下灯と、患者からの呼び出しに応答するためにナースステーションに設置されるナースコール親機と、ナースコール親機および廊下灯を制御する制御機と、を有するナースコール装置であって、廊下灯は、壁面に取り付けられる露出ボックスと、廊下灯を装着するために露出ボックスに取り付けられる装着金具とを介して壁面に取り付けられ、露出ボックスは、略中央に配線挿通用の配線口を有すると共に壁面に取り付けるためのビス挿通孔を配線口の上下に備えた背板と、背板に周設されて廊下灯に密着する係合面を有した枠体とを有し、枠体で囲まれた内部に配線を収容する配線収容空間を備えると共に、装着金具を取り付けるためのネジ孔を、枠体から内側に突出形成したブロックに形成し、ブロックは背板から分離して形成されて成ることを特徴とする。 
この構成により、装着金具を取り付けるブロックと背板は分離されているので、装着金具の取り付けによりブロックが変形しても、背板まで変形することがなく露出ボックスは破損し難い。逆に、露出ボックスを壁面に取り付けた際に背板が変形しても、ブロックはその影響を受け難く、装着金具が取り付け辛くなることがない。また、露出ボックスにより廊下灯背部に配線空間が形成されるので配線処理がし易い。
【０００８】
請求項４の発明は、請求項３に記載の発明において、背板には、ブロックを囲むように開口部が形成され、開口部により背板とブロックが分離されて成ることを特徴とする。
この構成により、開口部が背板の変形を吸収するので、壁面に取り付けた際の係合面及びブロックの変形を抑えることができる。また、ブロックと背板の分離を簡易な形で実施できる。
【０００９】
請求項５の発明は、患者が看護師を呼び出すためのベッド子機と、病室毎に設置してベッド子機からの呼び出しを看護師に知らせるための廊下灯と、患者からの呼び出しに応答するためにナースステーションに設置されるナースコール親機と、ナースコール親機および廊下灯を制御する制御機と、を有するナースコール装置であって、廊下灯は、壁面に取り付けられる露出ボックスと、廊下灯を装着するために露出ボックスに取り付けられる装着金具とを介して壁面に取り付けられ、露出ボックスは、略中央に配線挿通用の配線口を有すると共に壁面に取り付けるためのビス挿通孔を配線口の上下に備えた背板と、背板に周設されて廊下灯に密着する係合面を有した枠体とを有して内部に配線を収容する配線収容空間を備え、更に、装着金具を取り付けるためのネジ孔を設けたブロックを、枠体の内側に突出形成すると共に、ブロックは背板から分離して形成し、背板には、露出ボックスを壁面にビス止めした際に係合面が変形するのを防止するためのスリットを、ビス挿通孔を挟む外側に横長に一対形成してなることを特徴とすることを特徴とする。
この構成により、露出ボックスを壁面にビス止めした際に露出ボックスの背板が変形しても、スリットが変形を吸収するので露出ボックスが破損し難いし、廊下灯を装着する係合面も変形し難い。また、逆に装着金具の取り付けによりブロックが変形しても背板まで変形することがないので、露出ボックスは破損し難い。
更に、廊下灯背部に配線処理空間が形成されるので配線処理がし易いし、配線口とスリットにより囲まれた帯状部にビス挿通孔が配置されるので、効果的にビス挿通孔周囲の変形を吸収できる。
【００１０】
請求項６の発明は、請求項１乃至５の何れかに記載の発明において、背板には、配線を整理するための柱状突起が設けられて成ることを特徴とする。
この構成により、複数の配線が接続される廊下灯において、配線の整理がし易くなる。
【００１１】
請求項７の発明は、請求項１乃至６の何れかに記載の発明において、露出ボックスには、装着金具を位置決めするためのガイドリブが設けられて成ることを特徴とする。
この構成により、装着金具の位置決めを容易に実施でき、短時間に取り付けできる。
【発明の効果】
【００１２】
本発明によれば、露出ボックスを壁面にビス止めして背板が変形しても、スリットが変形を吸収するので露出ボックスが破損し難い。即ち、枠体が変形しないので、廊下灯を装着する係合面の変形を抑えることができ、背板の状態に拘わらず廊下灯を良好に装着できる。更に、廊下灯背部に配線処理空間が形成されるので配線処理がし易いし、配線口とスリットにより囲まれた帯状部にビス挿通孔が配置されるので、効果的にビス挿通孔周囲の変形を吸収できる。
また、装着金具を取り付けるブロックと背板は分離されているので、装着金具を取り付けた際にブロックが変形しても、背板まで変形することがなく露出ボックスは破損し難い。
【発明を実施するための最良の形態】
【００１３】
以下、本発明を具体化した実施の形態を、図面に基づいて詳細に説明する。図１は、本発明に係るナースコール装置の一例を示す構成図であり、１は患者が看護師を呼び出すためのベッド子機、１ａはベッド子機１が接続されてマイク及びスピーカを備えたプレート子機、２は病室入口等の病室近傍に設置してベッド子機１からの呼び出しを看護師に知らせるための廊下灯、３は患者からの呼び出しに応答するためにナースステーションに設置されるナースコール親機、４はナースコール親機３および廊下灯２を制御する制御機を示している。プレート子機１ａは病室毎に廊下灯２に接続され、廊下灯２は廊下灯幹線７により制御機４に接続されている。また、制御機４は幹線８によりナースコール親機３に接続されている。
【００１４】
このうち廊下灯２は、図２に示すように露出ボックス５、装着金具６を介して壁面に取り付けられる。露出ボックス５は、壁面に密着する背板５ａと背板周囲に枠状に形成された枠体５ｂを有し、前面が開放された合成樹脂製の枠体である。また、装着金具６は、略四角形の金属板であり、配線を挿通するための開口部６ａ、露出ボックス５に取り付けるためのビス挿通孔６ｂ、廊下灯２を係止するための係止爪６ｃを有している。
尚、この装着金具６は、壁面に埋設されたスイッチボックスにビス止め固定することで、露出ボックス５を使用せずに廊下灯２を壁面に設置することも可能に形成されている。また、２ａは廊下灯２の患者表示部、２ｂは呼び出しの報知動作をリセットするリセットボタンである。
【００１５】
図３〜図５は露出ボックス５の詳細を示し、図３は正面図、図４は平面図、図５は背面図である。図において、１０はベッド子機１からの配線や制御機４への配線を挿通する配線口、１１は露出ボックスを壁面に取り付けるビスを挿通するためのビス挿通孔、１２は配線の余長分を整理するための柱状突起、１３は装着金具６をネジ止めするためのネジ孔、１４はビス止めした際の背板５ａの変形を吸収するスリットであり、背板５ａに形成されている。  
【００１６】
配線口１０は、背板５ａの略中央に四角形で大きく開口形成され、その上下辺に近接してビス挿通孔１１が長孔形状に設けられている。この配線口１０は、壁面に埋設されたスイッチボックス（図示せず）に合わせて形成され、ビス挿通孔１１はそのスイッチボックスに設けられたネジ孔に合致するよう配置されている。
また、柱状突起１２は、配線口１０の上方及び下方に配置された計４個の太径の柱状突起１２ａと、配線孔１０の左右に配置された計２個の細径の柱状突起１２ｂとで構成され、柱状突起１２の周囲は配線の余長分を収容する配線収容空間となっている。
【００１７】
尚、この露出ボックス５は、側方からも配線を挿入可能とするために、図４に示すように枠体５ｂ上面にも配線口を形成可能な構成となっている。枠体５ｂの上面には、ニッパー等で容易に切断して配線口を開口可能なスリット状開口部１５が形成され、ペンチ等でスリット状開口部１５の連結部を切断することで容易に配線口を作製可能となっている。このスリット状開口部は、大小２種類の大きさで開口可能に形成され、隣接して３箇所に設けられている。また、１６は第２のビス挿通孔であり、背板の４隅に形成され、直接壁面にビス止めする際に使用される。
【００１８】
スリット１４は、太径の柱状突起１２ａと枠体５ｂの間に、左右に長い直線状に形成され、上下に一対形成されている。そして、このスリット１４と配線口１０で形成される帯状部１７の中にビス挿通孔１１を配置させている。この帯状部１７の背面は、図５に示すように、強度を上げるために格子状リブ２０が設けられている。
【００１９】
一方、背板５周囲に形成された枠体５ｂは、取り付ける廊下灯２と同一の外形で形成され、その前面は廊下灯２の背面が係合する係合面であると共に、装着金具６を装着する装着面となっており、この面上には装着金具６を位置決めするガイドリブ２１が形成されている。また、枠体５ｂの内側は、装着金具６をネジ止めするためのネジ孔１３を設けたブロック１８が突出形成され、背板５ａのブロック１８周囲に相当する部位には、ブロック１８の形状に合わせてコ字状のスリット状開口部１９が形成され、この開口部１９によりブロック１８と背板５ａとが分離されている。
【００２０】
このように形成された露出ボックス５及び装着金具６を用いて、廊下灯２は次のように設置される。壁面に埋設されたスイッチボックスを使用して配線が成される場合は、スイッチボックスに露出ボックス５がビス止めされて壁面に取り付けられる。
このときビス挿通孔１１が使用され、ビス止めにより露出ボックス５の背板が変形することがあるが、上下に設けたスリット１４により、変形はスリット１４間の帯状部１７に留まり、スリット１４の外側まで変形することを防ぐ事ができる。
【００２１】
ビス止めしたら、配線口１０にスイッチボックス内から配線を引き出し、装着金具６の配線口６ａを介して廊下灯２に各配線を接続する。そして、余長分は柱状突起１２周囲の配線収容空間に収容する。このとき、柱状突起１２に巻回するようにして収容することで、各配線を分離した状態で収容できる。収容したら装着金具６をビス止めし、廊下灯２を装着金具６の係止爪６ｃに係止することで、廊下灯２は壁面に設置される。
【００２２】
また、配線が壁面上に配設され、スイッチボックスを使用しない場合、廊下灯２は次のように設置される。まず、露出ボックス５の上面に設けられたスリット状壁部１５の連結部をニッパー等で切断し、配線口（第２の配線口）を作成する。そして、第２のビス挿通孔１６を使用して露出ボックス５を壁面にビス止めして取り付け、形成した第２の配線口に配線を挿通する。このように、配線が壁面に配設されていても、スムーズに露出ボックスに挿入でき、廊下灯を壁面に設置できる。
その後、取り込んだ配線を廊下灯２に接続操作し、廊下灯２を露出ボックス５に取り付けた装着金具６の係止爪６ｃに係止して装着する。具体的な手順は上記手順と同様となる。
【００２３】
こうして廊下灯２が壁面に取り付けられ、ベッド子機１、制御機４が廊下灯２に接続される。そして、ナースコール親機３が制御機４に接続されると、ベッド子機１により患者からの呼び出しがあれば、廊下灯２の代表表示灯及び個別表示灯が点滅するなど、ナースコール装置としての基本動作が行われ、ナースコール親機３において、呼出操作をした患者と通話が可能となる（詳述せず）。
【００２４】
このように、廊下灯を露出ボックスを使用して壁面に装着する際、ビス止めした露出ボックスの背板が変形しても、スリットが変形を吸収するので露出ボックスが破損し難い。即ち、枠体が変形しないので廊下灯を装着する係合面の変形を抑えることができ、背板の状態に拘わらず廊下灯を良好に装着できる。
また、廊下灯背部に配線処理空間が形成されるので配線処理がし易いし、配線口とスリットにより囲まれた帯状部にビス挿通孔が配置されるので、効果的にビス挿通孔周囲の変形を吸収できる。
更に、ブロックと背板は開口部により分離されているので、装着金具の取り付けによりブロックが変形しても、背板まで変形することがなく、露出ボックスを破損し難くできる。逆に、露出ボックスを壁面に取り付けた際に背板が変形しても、ブロックはその影響を受け難く、装着金具が取り付け辛くなることがない。そして、ブロックと背板の分離を簡易な形で実施している。
また、ビス挿通孔とスリットの間の帯状部に格子状のリブを設けることで、ビス止めして背板が変形しても露出ボックスは破損し難くなる。
また、柱状突起により配線の余長分を巻回処理し易いし、異なる配線同士が絡み合うのを防ぐことができる。更に、柱状突起周囲に形成された配線空間により、複数の配線が接続される廊下灯において、配線の整理がし易い。
更に、ガイドリブにより装着金具の位置決めを容易に実施でき、短時間に取り付けできる。
【００２５】
尚、上記実施形態では、スリット１４を、太径の柱状突起１２ａの外側となる枠体５ｂ側に形成しているが、柱状突起１２（１２ａ）を外側にして、ビス挿通孔１１と柱状突起１２（１２ａ）の間に形成しても良い。
また、開口部１９を背板５ｂに設けることで、ブロック１８を背板５ａと分離しているが、背板５ａに開口部を設ける事無く、ブロック１８を背板５ａから浮かせるように作製しても良い。
【図面の簡単な説明】
【００２６】
【図１】本発明に係るナースコール装置の実施形態の一例を示す構成図である。
【図２】図１の廊下灯を壁面に取り付ける際の廊下灯の構成を示す斜視図である。
【図３】露出ボックスの正面図である。
【図４】露出ボックスの平面図である。
【図５】露出ボックスの背面図である。
【符号の説明】
【００２７】
１・・ベッド子機、２・・廊下灯、３・・ナースコール親機、４・・制御機、５・・露出ボックス、５ａ・・背板、５ｂ・・枠体、６・・装着金具、１０・・配線口、１１・・ビス挿通孔、１２（１２ａ，１２ｂ）・・柱状突起、１４・・スリット、１８・・ブロック、１９・・開口部、２０・・格子状リブ、２１・・ガイドリブ。
【図１】
2006198332.tif 000003
【図２】
2006198332.tif 000004
【図３】
2006198332.tif 000005
【図４】
2006198332.tif 000006
【図５】
2006198332.tif 000007